(57)【要約】      （修正有）【課題】着用者の血行を促進することで健康を促進・増進可能な健康促進器具を提供する。【解決手段】健康促進器具１は、着用者の身体の一部に巻き付け可能な所定の長さを有するバンド本体２と、該バンド本体２を締結可能な締結手段３と、バンド本体２の長手方向の中途部に設けられる磁石とを備える。かかる構成によれば、締結手段によってバンド本体を着用者の身体の一部に巻き付けて締め付けることによって、バンド本体を着用者の身体に適度な圧力をもって装着することができる。この締め付けと、磁石の作用効果により、着用者の健康の促進・増進を実現できる。【選択図】図１
0003166227.tif 000002
【実用新案登録請求の範囲】
【請求項１】
着用者の身体の一部に巻き付けられて装着される健康促進器具であって、
着用者の身体の一部に巻き付け可能な所定の長さを有するバンド本体と、バンド本体を締結可能な締結手段と、バンド本体の長手方向の中途部に設けられる磁石と、を備えることを特徴とする健康促進器具。
【請求項２】
前記締結手段は、バンド本体に設けられる面ファスナを有する請求項１に記載の健康促進器具。
【請求項３】
前記バンド本体の長手方向の中途部には、遠赤外線放射部材がさらに設けられる請求項１又は２に記載の健康促進器具。
【請求項４】
バンド本体を着用者の身体の一部に巻き付けて装着する際において、過剰な巻き付け力が作用したときに、バンド本体の巻き付け状態を解除する巻き付け解除手段をさらに備える請求項１から３のいずれか１項に記載の健康促進器具。
【考案の詳細な説明】
【技術分野】
【０００１】
本考案は、着用者の血行を促進することで健康を促進・増進可能な健康促進器具に関する。
【背景技術】
【０００２】
従来、磁石の磁気や遠赤外線が人体の血行を促進することが知られており、そのための製品も数多く提案されてきた。例えば、磁石を人体に直接貼り付けて、血行を促進し、健康を維持する製品が一般的である。
【考案の概要】
【考案が解決しようとする課題】
【０００３】
しかしながら、磁石等を直接人体に貼り付ける場合には、所定期間使用したのちに、これを剥がして捨てなければならず、捨てる度に新しく人体に貼り付けなければならず、面倒である。
【０００４】
また、多様な製品が考案されているにもかかわらず、これらの従来製品よりも飛躍的に血行を促進させることができる製品はなく、新たな健康促進器具の製品化が強く望まれている。
【０００５】
本考案は上記の事情に鑑みてなされたものであり、従来よりも効果的な健康の促進・増進を実現できる健康促進器具を提供することを課題とする。
【課題を解決するための手段】
【０００６】
本考案は、上記の課題を解決するためのものであって、着用者の身体の一部に巻き付けられて装着される健康促進器具であって、着用者の身体の一部に巻き付け可能な所定の長さを有するバンド本体と、バンド本体を締結可能な締結手段と、バンド本体の長手方向の中途部に設けられる磁石と、を備えることを特徴とする。
【０００７】
かかる構成によれば、締結手段によってバンド本体を着用者の身体の一部に巻き付けて締め付けることによって、バンド本体を着用者の身体に適度な圧力をもって装着することができる。この締め付けと、磁石の作用効果により、着用者の健康の促進・増進を実現できる。
【０００８】
また、本考案に係る健康促進器具は、前記締結手段が、バンド本体に設けられる面ファスナを有することが望ましい。
【０００９】
かかる構成によれば、締結手段を面ファスナで構成することにより、着用者への健康促進器具の装着・取り外しを容易に行うことができるようになる。
【００１０】
また、本考案に係る健康促進器具は、バンド本体の長手方向の中途部に、遠赤外線放射部材（例えば、セラミックス、活性炭等）をさらに設けるようにしても良い。
【００１１】
かかる構成によれば、磁石と遠赤外線放射部材とを組み合わせて使用することで、さらなる血行促進、新陳代謝の強化等を期待できる。
【００１２】
また、本考案に係る健康促進器具は、バンド本体を着用者の身体の一部に巻き付けて装着する際において、過剰な巻き付け力が作用したときに、バンド本体の巻き付け状態を解除する巻き付け解除手段をさらに備える構成を採用できる。
【００１３】
かかる構成によれば、巻き付け解除手段を備えることによって、過剰な巻き付け力によるバンド本体の巻き付け状態の発生を防止して、常に適度な巻き付け力が作用した状態で健康促進器具を着用者に装着できるようになる。
【考案の効果】
【００１４】
本考案によれば、従来よりも効果的な健康の促進・増進を実現できる健康促進器具を提供することが可能になる。
【図面の簡単な説明】
【００１５】
【図１】本考案の一実施形態に係る健康促進器具の正面図である。
【図２】同じく健康促進器具の背面図である。
【図３】図２におけるＡ−Ａ矢視線断面図である。
【図４】健康促進器具が着用者の身体の一部に装着された状態を示す側面図である。
【図５】巻き付け解除手段が機能している状態を示す健康促進器具の斜視図である。
【図６】健康促進器具が着用者に装着された状態を示す斜視図である。
【図７】本考案の変形例を示す健康促進器具の正面図である。
【図８】健康促進器具の作用を説明するための概略図である。
【考案を実施するための形態】
【００１６】
以下、本考案を実施するための形態を、図面を参照しながら詳細に説明する。図１〜図３に示すように、本考案に係る健康促進器具１は、着用者の身体の一部、例えば、腕や脚に巻き付け可能な所定長さを有するバンド本体２と、バンド本体２を着用者の身体の一部に巻き付けた状態で固定すべく、このバンド本体２を締結する締結手段３と、バンド本体２の長手方向の中途部に設けられる磁石４と、を有する。
【００１７】
バンド本体２は、伸縮自在な生地（布地）によって所定長さ及び幅の帯状に構成される。本実施形態では、バンド本体２の長さは、例えば２５ｃｍ〜３０ｃｍ程度、バンド本体２の幅は、例えば３〜５ｃｍ程度とされるが、これに限定されることなく、着用者の装着部位に対応するように、多様な長さ及び幅を有するバンド本体２を構成可能である。バンド本体２の一方の面には、このバンド本体２の長手方向に所定の間隔をおいて複数の目盛り５が設けられている。また、バンド本体２の各端部（一端部２ａ，他端部２ｂ）は円弧状に構成されている。
【００１８】
締結手段３は、バンド本体２の一端部２ａ側に設けられるとともにバンド本体２の端部２ｂを挿通可能なリング体６と、バンド本体２の一方の面に設けられる面ファスナ７とを有する。
【００１９】
リング体６は、長尺状又は略長方形状に構成されており、その内側に長尺状の孔（長孔）６ａを有する。この孔６ａの長さは、バンド本体２の幅よりも若干大きくなるように設定されている。なお、リング体６は、上記の構成に限らず、種々の形状のものを採用できる。
【００２０】
リング体６は、例えば、合成樹脂によって形成されることが望ましい。また、このリング体６は、その一部（一辺）が、バンド本体２の一端部２ａ側に形成された環状（筒状）の保持部８の挿通されて保持されている。
【００２１】
バンド本体２の保持部８は、バンド本体２の一端部２ａをリング体６の孔６ａに挿通し、この一端部２ａを他端部２ｂ側に折り返すとともに、折り返されたバンド本体２の一端部２ａの中途部分を、リング体６の孔６ａに挿通されていないバンド本体２の残余の部分に縫着する（この縫着部分を符号９で示す）ことによって、環状に構成される。これにより、保持部８は、その内側にリング体６の一部が挿通された状態で、このリング体６を回動自在に保持している。
【００２２】
図１〜図３に示すように、バンド本体２の一端部２ａは、上記のような縫着された部分９からさらに折り返されてバンドの長手方向外方に向けられている。このように、折り返されたバンド本体２の一端部２ａの長さは、リング体６の幅（リング体６の長手方向に直交する方向の長さをいう）よりも大きく設定されている。これにより、このバンド本体２の一端部２ａは、リング体６に重ねられて、これを覆うことができるようになっている。
【００２３】
面ファスナ７は、バンド本体２の一方の面（目盛り５が設けられている側の面）に設けられている。この面ファスナ７は、互いに接触して掛止し合う雄部７ａと雌部７ｂとを有する。雌部７ｂは、バンド本体２の一方の面のほぼ全面に設けられており、雄部７ａよりも面積が大きく構成されている。このため、バンド本体２の目盛り５は、雌部７ｂが設けられている部分に重なって形成されている。
【００２４】
雄部７ａは、バンド本体２の一方の面において、バンド本体２の長手方向における他端部２ｂ側に設けられている。このように、面ファスナ７の雄部７ａは、バンド本体２において雌部７ｂと同一の面に設けられており、バンド本体２の一方の面において、雄部７ａ以外の略全ての部分が雌部７ｂとなっている。
【００２５】
磁石４は、バンド本体２の他方側の面（面ファスナ７が設けられている面とは反対側の面）に設けられている。図２に示すように、本実施形態では、バンド本体２に複数（図例では８個）の磁石４が所定の間隔をおいて設けられている。より具体的には、磁石４は、バンド本体２の長手方向に沿って２列に配列されている。そして、各列には４つの磁石４が配置されている。各磁石４は、ほぼ円形状に構成されている。
【００２６】
各磁石４は、バンド本体２に固着された布部材からなる固定部材１０とバンド本体２との間に設けられている。この固定部材１０は、伸縮し難い素材によって形成されており、固定部材１０をバンド本体２に縫着等により一体化することによって、各磁石４は所定の位置に動かないように固定される。
【００２７】
なお、バンド本体２の長手方向の中途部には、磁石４に替えて又は磁石４とともに、セラミックス、活性炭等の遠赤外線放射部材を設けるようにしても良い。
【００２８】
健康促進器具１は、以下のようにして着用者に装着される。
【００２９】
健康促進器具１を着用者の身体に装着するには、まず、バンド本体２の他方側の面を着用者の身体の一部、例えば、腕の表面に当接させる。次に、バンド本体２の一端部２ａに設けられているリング体６の孔６ａに、バンド本体２の他端部２ｂを挿通する。これにより、バンド本体２は環状（筒状）に構成されて着用者の腕に巻き付けられる。このとき、バンド本体２に設けられている磁石４が着用者の腕に接した状態となる。なお、バンド本体２は、着用者の衣服の袖の上から腕に巻き付けられてもよいし、着用者の腕（地肌）に直接巻き付けられてもよい。
【００３０】
次に、リング体６の孔６ａに挿通されたバンド本体２の他端部２ｂをリング体６に対して折り返すととともに、バンド本体２の他端部２ｂを強く引っ張るようにする。このとき、バンド本体２の他端部２ｂを引っ張ると、リング体６の孔６ａからバンド本体２の他端部２ｂ側の部分が引き出される。このバンド本体２の部分は、リング体６の孔６ａから引き出されるとき、リング体６に対して摺動することになるが、バンド本体２の一端部２ａがリング体６の下側を覆うように設けられているので、この摺動する部分が着用者の腕に触れて擦れるということが防止されている。
【００３１】
また、上記のように、バンド本体２の他端部２ｂを引っ張る際には、バンド本体２を伸張させるようにする。上記のようにバンド本体２を折り返した状態では、バンド本体２の他端部２ｂに設けられている面ファスナ７の雄部７ａが、面ファスナ７の雌部７ｂと対向する。この状態で、面ファスナ７の雄部７ａを雌部７ｂに押し当てることにより、バンド本体２は、伸張した状態で締結された状態となる。
【００３２】
面ファスナ７の雄部７ａを雌部７ｂに押し当てる際に、この雄部７ａに対応するバンド本体２の端部と、バンド本体２に設けられている目盛り５に合わせるようにするとよい。バンド本体２の端部を合わせる目盛り５の位置を変えることによって、バンド本体２の伸張によって生じる弾性復元力（締付力）を調整することが可能である。
【００３３】
以上により、図４に示すように、健康促進器具１は、バンド本体２が伸張した状態における弾性復元力で腕の全周を押圧し、磁石４が腕に接した状態で、着用者に装着される。なお、健康促進器具１の取り外しは、面ファスナ７の雄部７ａと雌部７ｂから引き離し、この雄部７ａに対応するバンド本体２の端部（２ｂ）をリング体６の孔６ａから引き抜くことによって行われる。
【００３４】
健康促進器具１は、着用者の身体の一部に装着される際、リング体６の孔６ａに挿通されたバンド本体２の他端部２ｂを引っ張る力が強すぎる場合、すなわち、過剰な巻き付け力が作用した場合に、バンド本体２の巻き付け状態を解除することができるようになっている。
【００３５】
図５は、バンド本体２の巻き付け状態が解除されたときの健康促進器具１の部分的な斜視図を示す。図５に示すように、バンド本体２に過剰な巻き付け力が作用した場合には、環状の保持部８と、リング体６の孔６ａに挿通されて掛止されているバンド本体２の部分とが互いに孔６ａの長手方向に離れるように移動する。
【００３６】
このとき、バンド本体２には過剰な巻き付け力（締め付け力）が作用していることから、バンド本体２における保持部８がリング体６の長孔６ａの長手方向に一端部に片寄り、この長孔６ａに挿通されて掛止されるバンド本体２の部分が、長孔６ａの長手方向の他端部に片寄った状態となる。さらに、リング体６は、保持部８とバンド本体２の一部とによって引っ張られて、図５に示すような傾斜した状態となる。
【００３７】
この状態では、面ファスナ７の雄部７ａと雌部７ｂが対向せず、両者を接触させることが困難になり、健康促進器具１を着用者に装着できなくなる。このことから、着用者は、バンド本体２を過剰な力で引っ張っていることを認識することができる。
【００３８】
上記のように過剰な巻き付け力の解除は、リング体６が長尺状又は略長方形状に構成されて長孔６ａが形成されていることによって実現される。すなわち、締結手段３の一部であるリング体６は、バンド本体２に過剰な巻き付け力が作用したときに、バンド本体２の巻き付け状態を解除する解除手段としても機能するのである。
【００３９】
本考案に係る健康促進器具１は、着用者の腕や脚に装着可能であるが、特に、図６に示すように、着用者の腕の付け根の部分（腕の腋窩寄りの位置）や、着用者の脚の付け根の部分（大腿部の鼠径部寄りの位置）に装着することが望ましい。これらの部分に対応する人体内部には、径の大きな血管（例えば上腕動脈、大腿動脈等）が存在し、より効果的な血行促進作用を発揮することができるからである。当然に、これらの部分以外の位置で、この健康促進器具１を使用してもよい。
【００４０】
例えば、着用者の脚の付け根の部分に健康促進器具１を装着する場合には、装着に必要な長さを確保するために、例えば、図７に示すように、２つの健康促進器具１を連結して使用しても良い。
【００４１】
２つの健康促進器具１の連結は、一方の健康促進器具１のバンド本体２の端部（面ファスナ７の雄部７ａが設けられている側の端部２ｂ）を、他方の健康促進器具１のリング体６の孔６ａに挿通し、挿通したバンド本体２の端部２ｂの雄部７ａを同じバンド本体２の雌部７ｂに押しつけることによって行われる。
【００４２】
これによって、２つの健康促進器具１の長さは、略２倍となり、脚部の付け根の部分に装着可能な十分な長さを確保することができる。なお、上記のような連結を繰り返すことにより３以上の複数の健康促進器具１を連結して使用することも可能になる。
【００４３】
健康促進器具１の作用について、図８を参照しながら説明する。図８は、健康促進器具１が装着された着用者の身体の部位の内部の血管１１を概略的に示している。この血管１１は、健康促進器具１が装着された部分１１ａがバンド本体２の締め付けによって圧迫され、その径が他の部分１１ｂよりも小さくなっている。これにより、バンド本体２によって締め付けられている血管の部分１１ａは、他の部分１１ｂよりも血流速度が大きくなっている。また、この血管の部分１１ａがバンド本体２によって締め付けられることにより、着用者の脈拍が上がることとなる。したがって、着用者は、軽い運動をしている状態と同じような状態になる。これにより、着用者のエネルギ（カロリー）の消費を向上させ、ダイエット効果、美肌効果、疲労回復や身体のむくみがとれるといった種々の効果を実現できる。
【００４４】
さらにこの血管１１ａの部分には、磁石４による磁力が作用している。この磁石４の作用により、血管１１内を流れる血液のクラスタが破壊されることとなる。これにより、血液がこの血管の部分１１ａをさらに流れやすくなり、バンド本体２の締め付けによる血管１１の圧迫とこの磁石４の作用によって着用者の血行が大幅に改善される。
【００４５】
以上説明した本考案に係る健康促進器具１によれば、着用者の身体の一部に巻き付け可能なバンド本体２と、バンド本体２を締結する締結手段３と、バンド本体２の長手方向の中途部に設けられる磁石４とを備えているので、締結手段３によるバンド本体２の締め付けと、磁石４の磁力線とによって、従来よりも効果的な血行促進による健康促進・増進を実現できる。さらに、この磁石と遠赤外線放射部材とを組み合わせて使用することで、さらなる血行促進、新陳代謝の強化等を期待できる。
【００４６】
また、締結手段３が面ファスナ７（雄部７ａ、雌部７ｂ）で構成されていることから、簡単な動作での締結が可能になり、これによって、着用者への健康促進器具１の取り付け・取り外しを容易に行うことができる。
【００４７】
また、バンド本体２に目盛り５を設けることによって、面ファスナ７の雄部７ａを、目盛り５に応じて、雌部７ｂに接触させることによって、締結手段３によるバンド本体２の締め付けの力を調整し、着用者の体の大きさや体調に応じて適切な装着が可能になる。
【００４８】
さらに、過剰な巻き付け力が作用したときに、バンド本体２の巻き付け状態を解除する巻き付け解除手段（リング体６）を備えていることから、健康促進器具１は、適切な巻き付け力で装着することを着用者に促すことができる。巻き付け解除手段による巻き付け状態の解除を良好に行うために、リング体６は、摩擦係数の小さな素材、例えば、表面粗さの小さな合成樹脂等の材料によって構成されることが望ましい。
【００４９】
なお、本考案は上記の実施形態に限らず、以下のように種々の変形・変更が可能である。
例えば、上記の実施形態では、バンド本体２を締結する締結手段３として、面ファスナ７を用いた例を示したが、これに限らずバックル、フックその他の種々の締結手段３を採用してもよい。
【００５０】
上記の実施形態では、バンド本体２を伸縮自在な生地で構成したが、これに限らず、ゴムその他の種々の材料によって、バンド本体２を伸縮自在に構成してもよく、伸縮性の低い素材でバンド本体２を構成してもよい。
【符号の説明】
【００５１】
１…健康促進器具、２…バンド本体、２ａ…バンド本体の一端部、２ｂ…バンド本体の他端部、３…締結手段、４…磁石、５…目盛り、６…リング体、７…面ファスナ、７ａ…雄部、７ｂ…雌部、８…保持部、９…縫着された部分、１０…固定部材、１１…血管、１１ａ…血管の押圧された部分、１１ｂ…血管の押圧された部分以外の部分
【図１】
0003166227.tif 000003
【図２】
0003166227.tif 000004
【図３】
0003166227.tif 000005
【図４】
0003166227.tif 000006
【図５】
0003166227.tif 000007
【図６】
0003166227.tif 000008
【図７】
0003166227.tif 000009
【図８】
0003166227.tif 000010